(57)【要約】【課題】  エアーマッサージするエアーバックの動作に同期させて施療子による機械的マッサージができて効果的なマッサージができる椅子式マッサージ機を提供する。【解決手段】  椅子の背もたれ部２に、揉み、指圧、叩き等の機械的マッサージを行う施療子７と、エアー給排気装置１４の間欠駆動により膨張収縮が繰り返されてエアーマッサージを行うエアーバック８，９とを配置する。エアーバック８、９へエアーを供給するエアーの給気時に同期して施療子７による機械的マッサージを行うようにする。【選択図】        図１
2005152259.tif 000002
【特許請求の範囲】
【請求項１】
椅子の背もたれ部に、揉み、指圧、叩き等の機械的マッサージを行う施療子と、エアー給排気装置の間欠駆動により膨張収縮が繰り返されてエアーマッサージを行うエアーバックとを配置し、エアーバックへエアーを供給するエアーの給気時に同期して施療子による機械的マッサージを行うようにしたことを特徴とする椅子式マッサージ機。
【請求項２】
施療者の背部を両側から挟む位置で背持たれ部の両側にエアーバックを配置し、給気により施療者の背部をエアーバックにて保持した状態で且つこのエアーバックと同じ上下位置で施療子にて機械的マッサージを行うようにしたことを特徴とする請求項１記載の椅子式マッサージ機。
【請求項３】
施療者の背部を押し出す位置で背もたれ部にエアーバックを配置し、このエアーバックへの給気による施療者の押し出しと同期して施療者の体重のかかった部分に施療子を移動して機械的マッサージを行うようにしたことを特徴とする請求項１記載の椅子式マッサージ機。
【請求項４】
椅子の背もたれ部に、揉み、指圧、叩き等の機械的マッサージを行う施療子を配置し、エアー給排気装置の間欠駆動により膨張収縮が繰り返されてエアーマッサージを行うエアーバックを椅子の座部に配置し、上記施療子を施療者の肩の上に位置させて肩上から施療を行っているとき施療子の動作と同期させて座部のエアーバックにエアーを給排気させてマッサージをするようにしたことを特徴とする椅子式マッサージ機。
【発明の詳細な説明】
【技術分野】
【０００１】
本発明は、施療子にて揉み、指圧、叩き等の機械的マッサージする機能とエアーの給排気によって膨張・収縮するエアーバックによるエアマッサージする機能とを備えた椅子式マッサージ機に関するものである。
【背景技術】
【０００２】
近年、揉み、指圧、叩き等の機械的マッサージを行う施療子と、エアー給排気装置の間欠駆動により膨張収縮されてエアーマッサージを行うエアーバックとを１つの椅子に一緒に設けることにより、機械的マッサージの優越性とエアーマッサージの優越性を兼ね備えた椅子式マッサージ機が提供されている（例えば、特許文献１、特許文献２参照）。
【０００３】
かかる椅子式マッサージ機は、エアーバックに給排気することでエアーバックを膨張・収縮ささせて刺激の弱いエアーマッサージを行うことができ、施療子を駆動することで刺激の強い機械式マッサージができるようになっている。またエアーバックと施療子とを同時に駆動することでこれらを複合したマッサージができるようになっている。
【特許文献１】特開２００１−２４５９４３号公報
【特許文献２】特開２００１−２９３０５３号公報
【発明の開示】
【発明が解決しようとする課題】
【０００４】
ところが、上記従来例ではエアーバックと施療子とを同時に駆動することでこれらを複合したマッサージができるようになっているだけで、エアーバックの膨張・収縮の動作と施療子の駆動が同期するものでないためにいま一つ効果的なマッサージが行えるというものでもなかった。
【０００５】
本発明は叙述の点に鑑みてなされたものであって、エアーマッサージするエアーバックの動作に同期させて施療子による機械的マッサージができて効果的なマッサージができる椅子式マッサージ機を提供することを課題とする。
【課題を解決するための手段】
【０００６】
上記課題を解決するために本発明に係る椅子式マッサージ機は、椅子の背もたれ部に、揉み、指圧、叩き等の機械的マッサージを行う施療子と、エアー給排気装置の間欠駆動により膨張収縮が繰り返されてエアーマッサージを行うエアーバックとを配置し、エアーバックへエアーを供給するエアーの給気時に同期して施療子による機械的マッサージを行うようにしたことを特徴とする。上記のように構成したことによりエアバックによるエアーマッサージと施療子による機械的マッサージを複合したマッサージができるのは勿論、エアーバックへのエアーの給気と同期して施療子による機械的マッサージを行うことができ、エアーバックへの給気と関連づけて効果的なマッサージができる。
【０００７】
また施療者の背部を両側から挟む位置で背持たれ部の両側にエアーバックを配置し、給気により施療者の背部をエアーバックにて保持した状態で且つこのエアーバックと同じ上下位置で施療子にて機械的マッサージを行うようにしたことを特徴とすることも好ましい。この場合、施療者をエアーバックにて抱えこんだ状態で施療子により機械的マッサージを行うため、抱え込まない状態より強いマッサージを行うことができ、マッサージ効果を高めることができる。また機械的なマッサージを行うことにより施療者が前方に押し出され、着座位置が前方にずれるという問題をなくすことができる。
【０００８】
また施療者の背部を押し出す位置で背もたれ部にエアーバックを配置し、このエアーバックへの給気による施療者の押し出しと同期して施療者の体重のかかった部分に施療子を移動して機械的マッサージを行うようにしたことを特徴とすることも好ましい。この場合、背もたれ部のエアーバックの膨張にて施療者を押し出すと、そのとき、施療者の背の他の部分が背もたれ部に当たるようになるが、このときそこに集中して体重がかかるようになり、その箇所で施療子にて機械的マッサージを行うため、平均的体重がかかる状態より強いマッサージを行うことができてマッサージ効果を高めることができる。
【０００９】
また椅子の背もたれ部に、揉み、指圧、叩き等の機械的マッサージを行う施療子を配置し、エアー給排気装置の間欠駆動により膨張収縮が繰り返されてエアーマッサージを行うエアーバックを椅子の座部に配置し、上記施療子を施療者の肩の上に位置させて肩上から施療を行っているとき施療子の動作と同期させて座部のエアーバックにエアーを給排気させてマッサージをするようにしたことを特徴とすることも好ましい。この場合、座部のエアーバックへの施療子と同期した給排気にても施療者の肩に施療子を押し付けることになるので効果的な肩指圧動作を行うことができる。また施療子のみで機械的に指圧を行うよりも細やかな強さ調節を行うことができる。
【発明の効果】
【００１０】
本発明は叙述の如くエアバックによるエアーマッサージと施療子による機械的マッサージを複合したマッサージができるのは勿論、エアーバックへのエアーの給気と同期して施療子による機械的マッサージを行うことができ、エアーバックへの給気と関連づけて効果的なマッサージができるという効果がある。
【発明を実施するための最良の形態】
【００１１】
以下、本発明を添付図面に示す実施形態に基いて説明する。椅子式マッサージ機１は、図１に示すように背もたれ部２と、背もたれ部２の下方に設けられた座部３と、座部３の前側に設けられた脚部４と、座部３の左右両側に設けられた肘掛け部５とを備えている。背もたれ部２は、電動で作動するリクライニング機構により起倒自在となっており、図１の状態から背もたれ部２を後方に倒した状態で施療者Ｈが使用することができるようになっている。また背もたれ部２が後方に倒れるとき脚部４が図１の状態から上方に回転して施療者Ｈが膝を伸ばした状態で座ることができるようになっている。
【００１２】
背もたれ部２内には機械的なマッサージを行う施療機構部６が内装されており、施療機構部６の揉み玉のような施療子７が駆動されることにより揉み、指圧、叩き等のマッサージを行うことができるようになっている。施療機構部６は背もたれ部２を上下に移動することができるようになっており、施療機構部６を上下に移動することにより施療子７の位置を上下に移動できるようになっている。また施療子７自体は上下方向、幅方向及び強弱方向（前後方向）に作動するようになっており、施療子７の作動により揉み動作、指圧動作、叩き動作等の機械的なマッサージができるようになっている。
【００１３】
背もたれ部２には空気の給排気により膨張収縮する複数のエアーバック８，９が左右対称の位置に配設されている。一対のエアーバック８は膨張したとき施療者Ｈの背部を両側から抱え込む位置に配置されており、また一対のエアーバック９はエアーバック８が膨張したとき施療者Ｈを背面から押し出す位置に設けてある。また座部３にもエアーの給排気により膨張収縮するエアーバック１０が施療者Ｈの尻部を押し出す位置に配置されている。また脚部４には足を挿通するための凹溝１１が設けられており、エアーの給排気により膨張収縮する複数のエアーバック１２，１３が凹溝１１の側壁に設けてある。上記エアーバック８，９，１０，１２，１３は図２に示すようなエアー給排気装置１４にて給排気され、膨張収縮するようになっている。エアー給排気装置１４は、制御回路１５、エアーポンプ１６、フィルタータンク１９、電磁式三方弁１７及び電磁式開閉弁１８にて構成されている。このエアー給排気装置１４の間欠駆動により間欠的にエアーが給気されたり排気されたりするのが繰り返され、エアーバック８，９，１０，１２，１３の膨張収縮が繰り返されてエアーマッサージがされる。
【００１４】
背もたれ部２に設けたエアーバック８に給排気してエアーマッサージを行うと共に施療子７により機械的マッサージを施すときは、図３、図４に示すように施療子７がエアーバック８と同じ上下位置に移動すると共にエアーバック８に給排気する。エアーバック８に給気したときはエアーバック８が図３（ａ）の状態から図３（ｂ）の状態なるようにエアーバック８が膨張して施療者Ｈが両側から抱え込まれて施療者Ｈの身体が保持される。このように施療者Ｈの身体を保持した状態で施療子７が駆動されて揉み、指圧、叩き等の機械的マッサージ動作が行われ、より刺激の強いマッサージが行われる。この施療子７が駆動されて機械的マッサージが行われるのはエアーバック８にエアーが給気されて膨張して施療者Ｈの身体を保持している間で、この間に揉み、指圧、叩き等の機械的マッサージを開始すると共にこの機械的マッサージを終わらせるようになっている。
【００１５】
図５（ａ）のようにエアーバック８への給排気は一定周期で間欠的に繰り返され、図５（ｂ）のようにエアーバック８の膨張収縮が繰り返される。この図でＴ１は給気をオンしている時間で、Ｔ２は給気をオフして排気している時間である。Ｔ３は給気によりエアーバック８が膨張している時間であり、Ｔ４は排気によりエアーバック８が収縮している時間である。そして給気している時間Ｔ１の間に揉み、指圧、叩き等の機械的マッサージ開始され、その時間内に機械的マッサージが終了される。また機械的マッサージを開始するのは図５（ｃ）の機械施療動作例１のように給気開始時から同期しても、図５（ｄ）の機械施療動作例２のように給気開始から所定時間経過後に同期してもよい。また機械的マッサージするのは給気時間中連続動作しても図５（ｅ）の機械施療動作例３のように断続動作してもよい。
【００１６】
また上記の給気時間Ｔ１に代えて膨張している時間Ｔ３の間に揉み、指圧、叩き等の機械的マッサージが開始され、その時間内に機械的マッサージが終了されてもよい。この場合も機械的マッサージを開始するのは図５（ｃ）の機械施療動作例１のように膨張開始時から同期しても、図５（ｄ）の機械施療動作例２のように膨張開始から所定時間経過後に同期してもよい。また機械的マッサージするのは膨張時間中連続動作しても図５（ｅ）の機械施療動作例３のように断続動作してもよい。
【００１７】
背もたれ部２に設けたエアーバック９に給排気してエアーマッサージを行うと共に施療子７により機械的マッサージを施すときは図６、図７に示すように作動させる。背もたれ部２に設定されたエアーバック９の施療者Ｈの背部設置部上に位置するように配置されており、エアーバック９に給気して膨張した際に施療者Ｈの身体の側面を図６（ａ）の状態から図６（ｂ）の状態になるように押し出すようになっている。
【００１８】
このようにエアーバック９を膨張させたとき施療者Ｈの体重がかかるであろう上下位置に施療子７が移動した後、エアーバック９にエアーを給気してエアーバック９を膨張させて施療者Ｈを前に押し出し、このエアーバック９への給気時間内に施療子７が揉み、指圧、叩き等の機械的マッサージを行うことで刺激の強いマッサージができる。つまり、背もたれ部のエアーバック９の膨張にて施療者Ｈを押し出すと、そのとき、施療者Ｈの背の他の部分が背もたれ部２に当たるようになるが、このときそこに集中して体重がかかるようになり、その箇所で施療子７にて機械的マッサージを行うため、平均的体重がかかる状態より強いマッサージを行うことができてマッサージ効果を高めることができる。
【００１９】
上記例の場合も図５（ａ）のようにエアーバック９への給排気は一定周期で間欠的に繰り返され、図５（ｂ）のようにエアーバック９の膨張収縮が繰り返される。そしてエアーバック９に給気している時間Ｔ１の間に揉み、指圧、叩き等の機械的マッサージ開始され、その時間内に機械的マッサージが終了される。また機械的マッサージを開始するのは図５（ｃ）の機械施療動作例１のように給気開始時から同期しても、図５（ｄ）の機械施療動作例２のように給気開始から所定時間経過後に同期してもよい。また機械的マッサージするのは給気時間中連続動作しても図５（ｅ）の機械施療動作例３のように断続動作してもよい。また上記の給気時間Ｔ１に代えて膨張している時間Ｔ３の間に揉み、指圧、叩き等の機械的マッサージ開始され、その時間内に機械的マッサージが終了されてもよい。
【００２０】
また図８の例では座部３の上にエアーバック１０が設置されており、エアーバック１０の中心は施療者Ｈの尻部の上に位置しており、エアーバック１０が膨張した際に施療者Ｈを上に押し出すようになっている。背もたれ部２に施療機構部６には施療者Ｈの肩の位置を検知する肩位置検知センサーを有し、肩を指圧するとき肩位置検知センサーにて検知した施療者Ｈの肩位置に応じて施療子７が上下に移動して施療者Ｈの肩の上部を抱え込む位置に自動的に移動するようになっている。肩を指圧するため施療子７が肩の上部を抱え込む位置に移動したとき施療子７が肩に触れる程度に施療子７の押し付け強さが設定される。施療子７を施療者Ｈの肩の上に位置させた状態で施療子７が上下に駆動されると共にこの施療子７の上下の駆動に同期してエアーバック１０に給排気されてエアーバック１０が膨張収縮されて指圧される。このときエアーバック１０により施療者Ｈの持ち上げにても施療子７を肩に押し付けるようになるので、施療子７だけで肩の指圧動作をするのに比べて指圧する強さを強くできると共に押し付ける強さの調節が行いやすくなる。
【００２１】
図９（ａ）に示すように施療子７が上下に駆動されて下降したり、下降状態で停止したり、上昇したり、上昇状態で停止したりする動作を周期的に繰り返すようになっており、施療子７を施療者Ｈの人体に押し付ける圧力は図９（ｂ）のように変化するようになっている。図９（ａ）でｔ１は施療子７を下降させる時間、ｔ２は施療子７を下降させて停止する時間、ｔ３は施療子７を上昇させる時間、ｔ４は施療子７を上昇させて停止する時間である。このように施療子７が一定の周期で駆動されるが、この施療子７の動作に同期して座部３のエアーバック１０にエアーが給排気されてエアーバック１０が膨張収縮させられる。図９（ｃ）に示す座エアーバック動作例１では施療子７の下降開始時や上昇の開始時に同期して膨張するようになっている。図９（ｄ）に示す座エアーバック動作例２では施療子７をの駆動開始後所定時間経てから膨張するようになっている（この例では下降して停止した時に同期して膨張するようになっている。）。このエアーバック１０の膨張は所定の施療期間の間は連続して動作しても、図９（ｅ）の座エアーバック動作例３のように断続動作してもよい。
【図面の簡単な説明】
【００２２】
【図１】本発明の椅子式マッサージ機を示す斜視図である。
【図２】同上のエアーバックを駆動する構造を示す説明図である。
【図３】（ａ）（ｂ）は同上のマッサージする一例の状態を説明する平面図である。
【図４】同上のマッサージする状態を説明する側面図である。
【図５】同上の動作を説明するタイムチャートである。
【図６】（ａ）（ｂ）は同上のマッサージする他例の状態を説明する平面図である。
【図７】同上のマッサージする状態を説明する側面図である。
【図８】同上のマッサージする他の例の状態を説明する斜視図である。
【図９】同上の動作を説明するタイムチャートである。
【符号の説明】
【００２３】
１  椅子式マッサージ機  
２  背もたれ部
３  座部
４  脚部
５  肘掛け部
６  施療機構部
７  施療子
８  エアーバック
９  エアーバック
１０  エアーバック
１４  エアー給排気装置
【図１】
2005152259.tif 000003
【図２】
2005152259.tif 000004
【図３】
2005152259.tif 000005
【図４】
2005152259.tif 000006
【図５】
2005152259.tif 000007
【図６】
2005152259.tif 000008
【図７】
2005152259.tif 000009
【図８】
2005152259.tif 000010
【図９】
2005152259.tif 000011